【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
粘弾性発泡体から成るリクライニング面を有するマットレス用のカバーであって、
丸編み布体であって、４方向への伸縮性を有すると共に、
前記リクライニング面と係合して配置される第１のパイル面と、
前記リクライニング面と係合して配置される第１のパイル面を有する該カバー上に横たわっている人が係合するように配置される、対向する第２のパイル面と、
前記粘弾性発泡体から成るリクライニング面と、対向する、該カバー上に横たわっている前記人の皮膚表面との間の空気循環を高める少なくとも１つの通気領域とを画定する、丸編み布体を含む、粘弾性発泡体から成るリクライニング面を有するマットレス用のカバー。
【請求項２】
前記第１のパイル面及び前記第２のパイル面のうちの少なくとも一方は、相対的にパイルが低いか又はパイルのない１つ又は複数の領域の間に配置される相対的に高いパイルを有する１つ又は複数の領域を画定し、前記相対的にパイルが低いか又はパイルのない１つ又は複数の領域は、前記粘弾性発泡体から成るリクライニング面と、対向する、前記カバー上に横たわっている前記人の皮膚表面との間の空気循環を高める前記少なくとも１つの通気領域を画定する、請求項１に記載の粘弾性発泡体から成るリクライニング面を有するマットレス用のカバー。
【請求項３】
前記相対的に高いパイルを有する１つ又は複数の領域、及び前記相対的にパイルが低いか又はパイルのない１つ又は複数の領域は、
（ａ）  前記カバー上に横たわっている前記人の対応する身体領域の要件に従って、前記粘弾性発泡体から成るリクライニング面と、対向する、カバー上に横たわっている前記人の皮膚表面との間の空気循環を高める前記少なくとも１つの通気領域を位置決めするように、工学的身体マッピング技法によって、
又は、
（ｂ）  概して、前記粘弾性発泡体から成るリクライニング面と、対向する、前記カバー上に横たわっている前記人の皮膚表面との間の空気循環を高める前記少なくとも１つの通気領域を規則的なパターンで位置決めするように、標準的な編成設計技法によって、
前記第１のパイル面及び前記第２のパイル面のうちの前記少なくとも一方の上に配置される、請求項２に記載の粘弾性発泡体から成るリクライニング面を有するマットレス用のカバー。
【請求項４】
相対的にパイルが高い領域及び相対的にパイルが低いか又はパイルのない領域の間で高さを対照させることは、シンカループの高さを対照させることによって達成される、請求項３に記載の粘弾性発泡体から成るリクライニング面を有するマットレス用のカバー。
【請求項５】
前記丸編み布体は、
（ａ）  スパンデックスを有する編み目糸及び／又は、
（ｂ）  伸縮性編み目糸及び／又は、
（ｃ）  親水性繊維及び／又は、
（ｄ）  コットン及びウールから成る群から選択される材料及び／又は、
（ｅ）  ポリエステル、ナイロン、アクリル、親水性にされているポリエステル、ナイロン、又はアクリル、及びそれらの混紡から成る群から選択される合成材料の繊維を含む、
請求項４に記載の粘弾性発泡体から成るリクライニング面を有するマットレス用のカバー。
【請求項６】
前記第１のパイル面及び前記第２のパイル面のうちの前記少なくとも一方の前記シンカループは、
（ａ）  ナッピングされていない糸の形態又は、
（ｂ）  ナッピングされているベロアの形態又は、
（ｃ）  予めナッピングされていないカットループの形態である、
請求項４に記載の粘弾性発泡体から成るリクライニング面を有するマットレス用のカバー。
【請求項７】
前記丸編み布体は、ウィッキングの向上、汚染除去性（ｓｔａｉｎ  ｒｅｌｅａｓｅ）、撥水性、防汚性、抗菌性、及び撥油性から成る群から選択される１つ又は複数の特性に関する化学処理を有する、請求項１又は２に記載の粘弾性発泡体から成るリクライニング面を有するマットレス用のカバー。
【請求項８】
前記布体は親水性繊維を含む、請求項７に記載の粘弾性発泡体から成るリクライニング面を有するマットレス用のカバー。
【請求項９】
前記布体は布積層体を含む、請求項１又は２に記載の粘弾性発泡体から成るリクライニング面を有するマットレス用のカバー。
【請求項１０】
前記相対的にパイルが高い１つ又は複数の領域は、複数の離間されたパイル柱を含み、前記相対的にパイルが低いか又はパイルのない１つ又は複数の領域は、前記パイル柱の間に延在すると共に、前記粘弾性発泡体から成るリクライニング面と、対向する、前記カバー上に横たわっている前記人の皮膚表面との間の空気循環を高める前記少なくとも１つの通気領域を画定する、交差するチャネルを含む、請求項２に記載の粘弾性発泡体から成るリクライニング面を有するマットレス用のカバー。
【請求項１１】
前記布体は、
（ａ）  ダブルバーラッシェル縦編構成及び／又は、
（ｂ）  １インチ当たり約１６ウェール〜約２８ウェールの編み及び／又は、
（ｃ）  １インチ当たり約１４コース〜約３６コースの編み構造を含む、
請求項１０に記載の粘弾性発泡体から成るリクライニング面を有するマットレス用のカバー。
【請求項１２】
前記布体の糸は、
（ａ）  約４０デニール〜約６００デニールの範囲の繊度を有する及び／又は、
（ｂ）  約１ｄｐｆ〜約１２ｄｐｆの範囲の繊度を有する個々の繊維を含む、
請求項１０に記載の粘弾性発泡体から成るリクライニング面を有するマットレス用のカバー。
【請求項１３】
粘弾性発泡体から成るリクライニング面を有するマットレス用のカバーであって、
布体であって、
前記リクライニング面と係合して配置される第１の表面と、
該カバー上に横たわっている人が係合するように配置される、対向する第２の表面と、
前記粘弾性発泡体から成るリクライニング面と、対向する、該カバー上に横たわっている前記人の皮膚表面との間の空気循環を高める少なくとも１つの通気領域とを画定する、布体を含む、粘弾性発泡体から成るリクライニング面を有するマットレス用のカバー。
【請求項１４】
前記布体は、前記第１の表面を画定する第１の布層と、前記対向する第２の表面を画定する第２の布層とを含み、前記少なくとも１つの通気領域がそれらの間に画定され、
前記布体は、概して前記第１の布層と前記第２の布層との間に、前記粘弾性発泡体から成るリクライニング面と、対向する、前記カバー上に横たわっている前記人の皮膚表面との間の空気循環を高める前記少なくとも１つの通気領域を通じて延在する複数の中間部材をさらに含む、請求項１３に記載の粘弾性発泡体から成るリクライニング面を有するマットレス用のカバー。
【請求項１５】
前記複数の中間部材は、前記第１の布層と前記第２の布層とを弾性的に引き離すように配置される、請求項１４に記載の粘弾性発泡体から成るリクライニング面を有するマットレス用のカバー。
【請求項１６】
粘弾性発泡体から成るリクライニング面を有するマットレス用のカバーを形成する方法であって、
４方向への伸縮性を有すると共に、第１のパイル面及び対向する第２のパイル面を有する丸編み布を形成すると共に、前記粘弾性発泡体から成るリクライニング面と、対向する、前記カバー上に横たわっている前記人の皮膚表面との間の空気循環を高める少なくとも１つの通気領域を画定するステップと、
前記丸編み布を形成して粘弾性発泡体から成るリクライニング面を有するマットレス用のカバーにするステップとを含む、粘弾性発泡体から成るリクライニング面を有するマットレス用のカバーを形成する方法。